(57)【要約】【課題】宝石のカット面、特に輝きの中心となるテーブル面を十分に露呈し、製作が容易であると共に、宝石を確実に保持する見栄えの良い宝石保持具を提供すること【解決手段】切頭円錐部の側面であるクラウン及び該切頭円錐部の切頭面であるテーブルと、下側円錐部の側面であるパビリオン及び該下側円錐部の頂点であるキューレットと、前記クラウンと前記パビリオンとの間の周部にはガードルとを有するファセットカットされた宝石を保持する宝石保持具において、前記クラウンに当接させる爪部と、該爪部と一体形成され前記パビリオンに当接させる当接部と、該当接部に一体形成され前記キューレットを挿嵌させる支持座とを有し、該支持座の略中心に形成される座孔内においては、前記爪部との対面に前記パビリオンと接触する接触面が形成され、前記宝石を前記爪部と該接触面により挟持する【選択図】２【実用新案登録請求の範囲】
【請求項１】
切頭円錐部の側面であるクラウン及び該切頭円錐部の切頭面であるテーブルと、下側円錐部の側面であるパビリオン及び該下側円錐部の頂点であるキューレットと、前記クラウンと前記パビリオンとの間の周部にはガードルとを有するファセットカットされた宝石を保持する宝石保持具において、前記クラウンに当接させる爪部と、該爪部と一体形成され前記パビリオンに当接させる当接部と、該当接部に一体形成され前記キューレットを挿嵌させる支持座とを有し、該支持座の略中心に形成される座孔内においては、前記爪部との対面に前記パビリオンと接触する接触面が形成され、前記宝石を前記爪部と該接触面により挟持することを特徴する宝石保持具。
【請求項２】
前記接触面が、前記テーブルにより形成される宝石の水平面に対し、３０度乃至５０度範囲の傾斜で設けられていることを特徴とする請求項１に記載の宝石保持具。
【請求項３】
前記支持座が、前記宝石の高さに対し、少なくとも１０％以上であることを特徴とする請求項１乃請求項２に記載の宝石保持具。
【考案の詳細な説明】
【技術分野】
【０００１】
本考案は、指輪、ペンダント、ブローチ、イヤリング、ピアス等に使用されるファセットカットした宝石を保持する宝石保持具及びこの宝石保持具にファセットカットした宝石を保持する宝石装身具に関する。
【背景技術】
【０００２】
従来、装身具に使用される宝石保持具は、高価な宝石の落下防止を優先させる観点から、複数本の固定爪をかしめることで、確実に宝石を保持、固定するものがほとんどであった。
【０００３】
それに対し、図３に示すように、ファセットカットした宝石１１４のガードル１１６近傍に当接する凹面１１０を形成したツメ部１１１と、キューレット１１５近傍に当接する穴を形成した保持部１１２とを設けた宝石の取り付け構造が開示されている（実公平６-８７３０号公報）。
【０００４】
また、図４に示すように、切頭円錐部の側面であるクラウン２０４及び該切頭円錐部の切頭面であるテーブル２０５と、下側円錐部の側面であるパビリオン２０７と、前記クラウン２０４と前記パビリオン２０７との間のガードル２０３とを有するファセットカットされた宝石を保持する宝石保持具２０１において、前記クラウン２０４に当接させる爪部２０２と、該爪部２０２と一体形成され前記パビリオン２０７に当接させる当接部２０９と、該当接部２０９に一体形成され前記下側円錐部の頂点であるキューレット部２１０を支持させる支持座２１１とを有し、前記爪部２０２の先端が前記テーブル２０５に面的に当接し、前記ガードル２０３に対向する位置の前記爪部２０２と前記当接部２０９の交わる部分が反ガードル２０３側に凹ませて凹形状２０６に形成されたものが開示されている（特許３１８２６８３号）。
【考案の開示】
【考案が解決しようとする課題】
【０００５】
しかしながら、複数の固定爪をかしめる従来的な宝石保持具においては、宝石のカットされた面が複数の爪により隠され、多くのカット面の輝きが失なわれると云う問題があった。
【０００６】
一方、図３の宝石の取り付け構造は、爪がテーブル１１７まで至ってなく、そのため宝石１１４が外れ易いと云う問題があると共に、外れにくくするためにはある程度以上の巾が必要であるため、細く出来ないと云う問題があった。
【０００７】
さらに、図４の宝石保持具２０１においては、宝石を保持する支持座２１１は、宝石のキューレット２１０近傍を支持座２１１の当接点２１２で支持することより、その強度を保つためには、爪部２０２がテーブル２０５の相当部分にまで到達しなければ、宝石を確実に固定できないという問題点がある。その結果、宝石の輝きの中心部分であるテーブル２０５の一部が覆い隠され、宝石が十分な輝きを発揮できないという問題があった。
【０００８】
本考案の目的は、宝石のカット面、特に輝きの中心となるテーブル面を十分に露呈し、製作が容易であると共に、宝石を確実に保持する見栄えの良い宝石保持具を提供することである。
【課題を解決するための手段】
【０００９】
上記目的を達成するため、本考案に係る宝石保持具は、切頭円錐部の側面であるクラウン及び該切頭円錐部の切頭面であるテーブルと、下側円錐部の側面であるパビリオン及び該下側円錐部の頂点であるキューレットと、前記クラウンと前記パビリオンとの間の周部にはガードルとを有するファセットカットされた宝石を保持する宝石保持具において、前記クラウンに当接させる爪部と、該爪部と一体形成され前記パビリオンに当接させる当接部と、該当接部に一体形成され前記キューレットを挿嵌させる支持座とを有し、該支持座の略中心に形成される座孔内においては、前記爪部との対面に前記パビリオンと接触する接触面が形成され、前記宝石を前記爪部と該接触面により挟持することを特徴とし、また、前記接触面が、前記テーブルにより形成される宝石の水平面に対し、３０度乃至５０度範囲の傾斜で設けられていること及び前記支持座が、前記宝石の高さに対し、少なくとも１０％以上であることが好ましい。
【００１０】
このようにすることにより、宝石を外れることなく確実に保持し、宝石のカット面の中心となるテーブル面を十分に露呈させることができる。この宝石保持具は一体形成することが可能で強度的信頼性がある。又、爪部２０２の内側に不必要な凹形状を形成しないため、仕上げ研磨等の製作工程も容易で見栄えも良い。
【考案の効果】
【００１１】
本考案によれば、宝石の輝きの中心であるテーブルを露呈し、その輝きを十分に発揮することができる。そして、製作が容易であると共に、宝石を確実に保持する見栄えの良い宝石保持具を提供することが出来、さらにそれを使用して見栄えの良い宝石装身具を提供することが出来る。
【考案を実施するための最良の形態】
【００１２】
本考案は、ペンダント、イヤリング、ピアス、ブローチ等に使用されるダイヤモンド、ルビー、サファイア等、その他のファセットカットされた貴石や半貴石を保持、固定する宝石保持具及びこの宝石保持具を使用する宝石装身具に関する。以下、本考案の好ましい実施形態につき、図面を使用して説明する。
【００１３】
図１は、本考案に係る宝石保持具に保持される宝石の一実施形態を示す側面図であり、図２は、本考案に係る宝石保持具にファセットカットされた宝石を保持させた宝石装身具の一実施形態を示し、（Ａ）は正面図、（Ｂ）は側面図である。
【００１４】
宝石１は、上側に略円錐の円錐側面であるクラウン５及びこの略円錐の頂点側を底面と平行に切頭して形成された平坦部であるテーブル４を有する切頭円錐部と、下側に略円錐の円錐側面であるパビリオン６及び該下側円錐部の頂点であるキューレット８と、前記クラウン５と前記パビリオン６との間の周部にはガードル２とを有し、多数のファセット面でカットされたものである。
【００１５】
本実施の形態の宝石保持具１０は、クラウン５に当接する巾狭の爪部１２と、パビリオン６に当接する当接部１５と、キューレット８を挿嵌する支持座１４とを備え、爪部１２、当接部１５及び支持座１５が、一体形成されたものである。
【００１６】
爪部１２は、クラウン５に当接するものであるが、クラウン５及びテーブル４に当接するものであっても差し支えない。そして、本実施の形態においては、テーブル４に当接する爪部１２の先端３は、テーブル４を透視する方向からみて、宝石１の保持側で支持座１４の外側に位置する。
【００１７】
当接部１５は、爪部１２とほぼ同様の巾で支持座１４まで全辺に渡ってパビリオン６に当接する。したがって、パビリオン６方向からみて、爪部１２と当接部１５は略逆くの字状に形成される。
【００１８】
支持座１４は、キューレット８を挿嵌するもので、平面的には、座孔１９のコーナ部がつくる円形状に形成されているが（図示せず。）、多角形状であっても良い。又、支持座１４の略中心には座孔１９が形成されている。
【００１９】
座孔１９は、略円錐状の貫通孔として形成されているが、勿論、座孔１９は窪み状の凹んだ穴の形態でも良い。そして、座孔１９内における爪部１２との対面には、パビリオン６と接触する接触面１８が設けられている。接触面１８は、宝石１におけるパビリオン６と同様の傾斜角度、例えば、テーブル４により形成される宝石の水平面に対し、３０度乃至５０度範囲の傾斜で設けられている。
【００２０】
この結果、宝石保持具１０においては、前記宝石保持具２０１に比し、支持座１４は厚み（高さ）のあるものである。その厚み（高さ）には、特に限定がないが、例えば、宝石１の高さの１０％以上であることが好ましく、そのことにより、パビリオン６と接触面１８の接触面積を十分に採ることができる。
【００２１】
なお、吊孔部１７は、ペンダントにおいて、上側に紐、鎖等を通すための孔である。
【００２２】
宝石保持具１０における爪部１２、当接部１５及び支持座１４等は、ブラチナ、金、銀などの貴金属や真鎌などの金属材料を使用し、鍛造加工、切削加工、その他の成形加工によって一体形成できるもので、必要によって表面処理加工、熱処理加工等が施される。また、宝石保持具１には、前記宝石保持具２０１の如く、宝石１との接触回避を行うための凹形状２０６部分は存在せず、仕上げ研磨等の最終工程も容易である。
【００２３】
以上の構造を有する本実施の形態の宝石保持具１０は、次のように作用する。即ち、宝石保持具１０を開いた状態で、宝石１をキューレット８部分より座孔１６に挿嵌する。次に、パビリオン６と接触面１８を接触した状態で爪部１２を閉鎖方向に折り曲げる。宝石保持具１０の爪部１２は、宝石１のクラウン３と、当接部１５はパビリオン６と当接し、宝石１は接触面１８と爪部１２により挟持される。
【００２４】
宝石保持具１０は、クラウン３に当接する爪部１２と、パビリオン６に当接する当接部１１と、キューレット８を挿挟する支持座９とを備え、かつ座孔１９内における爪部１２との対面には、パビリオン６と接触する接触面１８が設けられていることで、宝石１を確実に固定することができる。
【００２５】
更に、宝石保持具１は、巾狭の爪部１２を備え、その長さをテーブル４にまで到達させる必要がなく、細くスマートに出来て見栄えが良いばかりか、宝石１の輝きの中心であるテーブル４を十分に露呈させることが出来る。そして、一体形成されているので、強度的信頼性も高く、製作が容易であると共に、宝石を確実に固定することができる。
【００２６】
以上この考案を図示の実施形態について詳しく説明したが、それを以ってこの考案をそれらの実施例のみに限定するものではなく、この考案の精神を逸脱せずして種々改変を加えて多種多様の変形をなし得ることは云うまでもない。
【図面の簡単な説明】
【００２７】
【図１】宝石を示す側面図である。
【図２】（Ａ）は、本考案に係る宝石保持具を示す正面図、（Ｂ）は、その側面図である。
【図３】（Ａ）は、従来の宝石保持具を示す正面図、（Ｂ）は、その側面図である。
【図４】（Ａ）は、従来の宝石保持具を示す正面図、（Ｂ）は、その側面図である。
【符号の説明】
【００２８】
１  宝石
２  ガードル
４  テーブル
５  クラウン
６  パビリオン
８  キューレット
１０  宝石保持具
１２  爪部
１４  支持座
１５  当接部
１７  吊孔部
１８  接触面
１９  座孔
１１０  凹面
１１１  ツメ部
１１２  保持部
１１４  宝石
１１５  キューレット
１１６  ガードル
２０１  宝石保持具
２０２  爪部
２０３  ガードル
２０５  テーブル
２０７  パビリオン
２０９  当接部
２１０  キューレット部
２１１  支持座
【図１】
0003109898.tif 000002
【図２】
0003109898.tif 000003
【図３】
0003109898.tif 000004
【図４】
0003109898.tif 000005